(57)【要約】【課題】光学系の組立てに際してその工数を削減することを可能にした光電式煙感知器を提供する。【解決手段】暗箱内の受光素子収納部に、発光ダイオード４９と、発光ダイオード４９を覆う筒状のシールドケース４８とを収納する光電式煙感知器において、シールドケース４８の背面に、内側に付勢されて受光素子を正面側に押圧する押えバネ部５２ａを設けたものである。【選択図】図５
2009237697.tif 000002
【特許請求の範囲】
【請求項１】
暗箱内の受光素子収納部に、受光素子と、該受光素子を覆う筒状のシールドケースとを収納する光電式煙感知器において、
前記シールドケースの背面に、内側に付勢されて前記受光素子を正面側に押圧する押えバネ部を設けたことを特徴とする光電式煙感知器。
【請求項２】
前記シールドケースは、一枚板を曲げ加工して形成されたことを特徴とする請求項１記載の光電式煙感知器。
【発明の詳細な説明】
【技術分野】
【０００１】
本発明は、光電式煙感知器に関し、特に、受光素子を収納するシールドケースの構造に関する。
【背景技術】
【０００２】
光電式煙感知器において、受光素子としてのフォトダイオード（以下、ＰＤという）は、煙による微弱な散乱光を受光して煙感知をすることから、電気的なノイズの影響を受けないようにするために、シールドケースで覆われている。このＰＤを含む光学系を組み立てる際には、従来、まずＰＤを光学台に挿入し、次にシールドケースを挿入するという順序でなされており、部品をそれぞれ個別に実装する必要があった（例えば特許文献１参照）。
【特許文献１】特開２００３−１４１６５３号公報
【発明の開示】
【発明が解決しようとする課題】
【０００３】
従来の光電式煙感知器の光学系の組立てに際しては、上記のように、ＰＤ及びシールドケースを個別に扱って組み込んでいるため、組立ての工数が必然的に多くなるという問題点があった。
【０００４】
本発明は、このような問題点を解決するためになされたものであり、光学系の組立てに際してその工数を削減することを可能にした光電式煙感知器を提供することを目的とする。
【課題を解決するための手段】
【０００５】
本発明に係る光電式煙感知器は、暗箱内の受光素子収納部に、受光素子と、該受光素子を覆う筒状のシールドケースとを収納する光電式煙感知器において、前記シールドケースの背面に、内側に付勢されて前記受光素子を正面側に押圧する押えバネ部を設けたものである。
また、本発明に係る光電式煙感知器において、前記シールドケースは、一枚板を曲げ加工して形成されたものである。
【発明の効果】
【０００６】
本発明においては、シールドケースの背面に、内側に付勢されて受光素子を正面側に押圧する押えバネ部が設けられており、受光素子が押えバネ部により押圧されて受光素子とシールドケースとが一体化する。このため、その一体化された受光素子とシールドケースとを光学系の受光素子収納部に同時に挿入することができる。したがって、光学系を組立てる際の工数を削減することができる。また、それに加えて、光電式煙感知器の使用時においても、受光素子が押えバネ部により押圧されるので、受光素子がシールドケースの内部でガタつかない。
また、本発明において、シールドケースは一枚板を曲げ加工して形成されたものであり、このため、シールドケースを製造するための部品点数が少なくて済み、その製造が容易なものとなっている。
【発明を実施するための最良の形態】
【０００７】
図１（ａ）（ｂ）は本発明の一実施形態に係る光電式煙感知器の外観図及びそのｂ−ｂ断面図である。図２及び図３は図１の光電式煙感知器の分解斜視図であり、図２は上方から見たときの斜視図、図３は下方から見たときの斜視図である。なお、図１（ｂ）においては内部部品の一部は省略されて図示されている。
【０００８】
この光電式煙感知器は、警報スピーカー、火災等を駆動するための電子部品（詳細は図示せず）が搭載されている本体１、本体１を覆うカバー（保護カバー）２、及び本体１の背面に係止され、天井面等への取付用ねじ穴等を有する取付板３を備えており、本体１とカバー２との間には煙検出部として機能する部品（詳細は後述する）が搭載された暗箱４が収納されている。カバー２は、その上部に検出対象となる煙が出入りするための複数の煙流入窓２１、及び押しボタン２２の一部を突出させるため開口部２３を備えている。押しボタン２２はカバー２の内壁に一端が回動自在に支持され、他端が係止されており、開口部２３から突出した部位が押圧されることにより、後述のタクトスイッチ４２をオン動作させる。また、このカバー２の内壁には警報スピーカー２４（図３参照）が取り付けられている。
【０００９】
暗箱４は、その下部にプリント基板４１が取り付けられており、そのプリント基板４１にはタクトスイッチ４２が取り付けられている。このタクトスイッチ４２は、上記の押しボタン２２の操作によりスイッチオンする。なお、この押しボタン２２は、煙が検出されて警報スピーカー２４が鳴動しそれを解除する際や点検の際に操作される。この暗箱４の詳細を図４に基づいて更に詳細に説明する。
【００１０】
図４は、暗箱４の分解斜視図である。
暗箱４は、光学台４３と、この光学台４３を覆う光学台カバー４４とから構成されている。光学台４３には、発光素子収納部４５、受光素子収納部４６及び複数のラビンス部材４７が設けられている。受光素子収納部４６は、発光素子収納部４５からの発光が直接入射しないような発光素子収納部４５との角度で配設されている。発光素子収納部４５には、発光素子、例えば砲弾型のＬＥＤ６０が取り付けられる。また、受光素子収納部４６には、シールドケース４８に収納されたＰＤ４９が取り付けられる。光学台カバー４４には、複数の煙出入口４４ａが形成されており、そして、煙出入口４４ａには防虫網４４ｂが設けられており、暗箱４内に虫などの異物が侵入するのを防止する。
【００１１】
図５は、シールドケース４８の詳細を示した図であり、（ａ）は正面図、（ｂ）は右側面図、（ｃ）は背面図、（ｄ）は底面図である。
シールドケース４８は、一枚の板材を切断し折り曲げて筒状に形成されており、正面板５０、上板５１、背面板５２、側板５３、５４から構成されており、正面板５０と上板５１と背面板５２とが連続し、また、正面板５０と側板５３と側板５４とが連続している。正面板５０の上部には開口部５０ａが形成されており、この開口部５０ａを介して散乱光が内蔵されているＰＤ４９に供給される。側板５３及び５４の背面板側の側部に、その上下方向に１対の舌片５３ａ、５３ｂ、５４ａ、５４ｂがそれぞれ形成されている。舌片５３ｂ、５４ｂの両側にはそれぞれ切欠き５３ｃ、５４ｃが形成されており、舌片５３ｂ、５４ｂを曲げ易くするとともに、舌片５３ｂ、５４ｂを曲げた状態の上面と舌片５３ｂ、５４ｂの端部とが面一になるようにしている。舌片５３ｂ、５４ｂを背面板側に折り曲げた状態で（折り曲げ位置は側板５３、５４の端部よりも内側の位置）、その上に背面板５２を折り曲げる。そして、その状態で、舌片５３ａ、５４ａを折り曲げることにより背面板５２を固定する。即ち、背面板５２を舌片５３ａ、５４ａと舌片５３ｂ、５４ｂとによって挟み込んで保持し、背面板５２と側板５３、５４との間に隙間が生じないようにしている。また、側板５３、５４には、ＰＤ４９の下部に相当する位置に、内側に突起した凸部５３ｄ、５４ｄが形成されており、これは、後述する押えバネ部５２ａとともにＰＤ４９を保持する。
【００１２】
シールドケース４８の背面板５２には、その一部が縦長に三辺が切り抜かれ、正面板５０側に折り曲げられた押えバネ部５２ａが形成されている。これは、ＰＤ４９を正面板５０側に押圧する。また、背面板５２の下部には、受光素子収納部４６に挿入されてプリント基板４１に取り付けられるための取付部５２ｂが設けられている。なお、シールドケース４８の下部からは、取付部５２ｂの他に、ＰＤ４９の端子４９ａが下方に突出して現れている。
【００１３】
以上のようにして構成されたシールドケース４８及びそれに収納されたＰＤ４９は、一体となって保持され、図４に示されるように、受光素子収納部４６に収納されて、プリント基板４１にハンダ付け等により固定される。
【００１４】
本実施形態に係る光電式煙感知器は、以上のように構成されており、ＬＥＤ６０を発光させて火災監視しているが、通常時には、ＬＥＤ６０の光は、ＰＤ４９に入らない。異常時、即ち、火災発生時には、煙が煙流入窓２１を介して煙出入口４４ａから暗箱４内に流入し、ＬＥＤ６０からの光と衝突して散乱させるのでその光の進路が変更し、その光の一部が散乱光としてＰＤ４９に入る。ＰＤ４９に入る散乱光が、所定量を超えると、図示しない制御により警報スピーカー２４が鳴動する。
【００１５】
そして、本実施形態においては、ＰＤ４９が、シールドケース４８の側板５３、５４の凸部５３ｄ、５４ｄと押えバネ部５２ａとによって保持されるので、これらを１個の部品として扱うことができ、組立ての際にはその工数を削減することが可能になっている。また、光電式煙感知器の使用時においても、ＰＤ４９がシールドケース４８の押えバネ部５２ａにより押圧されるので、ＰＤ４９がシールドケース４８の内部でガタつかない。また、シールドケース４８を１枚の板材を切断して折り曲げることによって形成しているので、部品点数の増加が避けられており、シールドケース４８を製造するための部品点数が少なくて済み、その製造が容易なものになっている。
【００１６】
なお、上記の説明においては、ＰＤ４９を、シールドケース４８の側板５３、５４の凸部５３ｄ、５４ｄと押えバネ部５２ａとによって保持する例について説明したが、本発明はそれに限定されるものではなく、押えバネ部５２ａだけでＰＤ４９を保持するようにしてもよい。
また、前記実施形態において、光電式煙感知器として、住宅用の火災警報器をを用いて説明したが、本発明はそれに限定されるものではなく、火災受信機と信号線等を介して接続される火災感知器であっても本発明を適用できる。
【図面の簡単な説明】
【００１７】
【図１】本発明の一実施形態に係る光電式煙感知器の外観図及びそのｂ−ｂ断面図である。
【図２】図１の光電式煙感知器の分解斜視図である。
【図３】図１の光電式煙感知器の分解斜視図である。
【図４】暗箱の分解斜視図である。
【図５】シールドケース詳細を示した図である。
【符号の説明】
【００１８】
１ 本体、２ カバー、３ 取付板、４ 暗箱、２１ 煙流入窓、２２ 押しボタン、２３ 開口部、２４ 警報スピーカー、４１ プリント基板、４２ タクトスイッチ、４３ 光学台、４４ 光学台カバー、４４ａ 煙出入口、４４ｂ 防虫網、４５ 発光素子収納部、４６ 受光素子収納部、４７ ラビンス部材、４８ シールドケース、４９  ＰＤ、５０ 正面板、５０ａ 開口部、５１ 上板、５２ 背面板、５２ａ 押えバネ部、５２ｂ 取付部、５３，５４ 側板、 ５３ａ、５３ｂ、５４ａ、５４ｂ  舌片、５３ｄ、５４ｄ  凸部、６０  ＬＥＤ。
【図１】
2009237697.tif 000003
【図２】
2009237697.tif 000004
【図３】
2009237697.tif 000005
【図４】
2009237697.tif 000006
【図５】
2009237697.tif 000007